(57)【要約】【課題】  電子ペンを用いて入力された手書き情報を、電子ペンによる入力で更新して、その更新内容を電子データに反映させる手段を提供すること。【解決手段】  記入位置を特定可能な位置特定情報が印刷された用紙に記入されたストロークデータを、電子ペンから取得して、更新対象のストロークデータを更新する手書き情報更新装置（5）であって、更新対象のストロークデータを含んで格納する記憶部（511）と、用紙に一意に位置特定情報を選択する位置特定情報割当部（503）と、更新対象のストロークデータと位置特定情報割当部（503）で選択された位置特定情報とを含む用紙の印刷させる印刷指示部（505）と、更新対象のストロークデータと用紙に記入されたストロークデータとをマージするマージ部（508）と、マージされたストロークデータを文字認識する文字認識部（506）とを含む。【選択図】      図３
2006277310.tif 000002
【特許請求の範囲】
【請求項１】
記入位置を特定可能な位置特定情報が印刷された用紙を出力する印刷手段と、前記用紙に記入された情報をストロークデータとして取得する電子ペンと、前記ストロークデータを取得して、更新対象のストロークデータを更新する手書き情報更新装置と、を含んで構成される手書き情報更新システムであって、
前記手書き情報更新装置は、
少なくとも更新対象のストロークデータを格納する記憶部と、
前記用紙ごとに、一意に前記位置特定情報を選択する位置特定情報割当部と、
少なくとも前記位置特定情報を含んだ印刷を指示する情報を作成する印刷指示部と、
複数の前記ストロークデータをマージするマージ部と、
前記ストロークデータを文字認識する文字認識部とを含んで構成され、
前記手書き情報更新装置が、前記位置特定情報割当部において、位置特定情報を選択し、前記印刷指示部において、前記記憶部に格納された更新対象のストロークデータと、この選択された位置特定情報とを含んだ印刷を指示する情報を作成して、この印刷を指示する情報を前記印刷手段に受け渡すと、
前記印刷手段が、この印刷を指示する情報に応じて前記用紙を出力し、
前記電子ペンが、前記用紙に記入されたストロークデータを取得して前記手書き情報更新装置に受け渡すと、
前記手書き情報更新装置が、前記マージ部において、更新対象のストロークデータと前記用紙に記入されたストロークデータとをマージして、前記文字認識部において、このマージされたストロークデータを文字認識すること、
を特徴とする手書き情報更新システム。
【請求項２】
前記マージされたストロークデータに文字と重複する所定の訂正記号が含まれると、
前記手書き情報更新装置の前記文字認識部が、前記訂正記号と重複する文字の文字認識の結果を、前記訂正記号から所定の範囲内にある文字の文字認識の結果と置き換えること、
を特徴とする請求項１に記載の手書き情報更新システム。
【請求項３】
前記マージされたストロークデータに所定の挿入記号が含まれると、
前記手書き情報更新装置の前記文字認識部が、前記挿入記号から上方の所定の範囲内にある文字の文字認識の結果を、前記挿入記号から下方の所定の範囲内にある文字の文字認識の結果の前記挿入記号が記入された位置に挿入すること、
を特徴とする請求項１に記載の手書き情報更新システム。
【請求項４】
前記手書き情報更新装置は、前記ストロークデータと、前記文字認識部の文字認識の結果を対比して表示して、文字認識の結果を修正可能な表示画面を作成する表示作成部をさらに含んで構成され、
前記マージされたストロークデータの文字認識の後に、前記表示作成部において、前記マージされたストロークデータの文字認識の結果を修正可能な前記表示画面を作成すること、
を特徴とする請求項１ないし請求項３のいずれか１項に記載の手書き情報更新システム。
【請求項５】
前記手書き情報更新装置は、
前記記憶部に、前記更新対象のストロークデータの文字認識結果を修正可能な前記表示画面において修正された内容を示す情報を格納し、
前記表示作成部において、前記マージされたストロークデータの文字認識の結果を修正可能な前記表示画面を作成する際に、前記マージされたストロークデータの文字認識の結果のうち、前記更新対象のストロークデータに、前記用紙に記入されたストロークデータが重複しない領域については、前記修正された内容を示す情報にもとづいて、前記更新対象のストロークデータの修正された文字認識の結果を表示すること、
を特徴とする請求項４に記載の手書き情報更新システム。
【請求項６】
記入位置を特定可能な位置特定情報が印刷された用紙を出力する印刷手段と、前記用紙に記入された情報をストロークデータとして取得する電子ペンと、前記ストロークデータを取得して、更新対象のストロークデータを更新する手書き情報更新装置と、を含んで構成される手書き情報更新システムにおける手書き情報更新方法であって、
少なくとも更新対象のストロークデータを格納する記憶部を有する前記手書き情報更新装置が、用紙に一意な位置特定情報を選択する情報割当部において、位置特定情報を選択する手順と、
前記手書き情報更新装置が、印刷指示部において、前記記憶部に格納された更新対象のストロークデータと、位置特定情報割当部において選択された位置特定情報とを含んだ印刷を指示する情報を作成して、前記印刷手段に受け渡す手順と、
前記印刷手段が、前記印刷を指示する情報に応じて、前記用紙を出力する手順と、
前記電子ペンが、前記用紙に記入されたストロークデータを取得して、前記手書き情報更新装置に受け渡す手順と、
前記手書き情報更新装置が、マージ部において、更新対象のストロークデータと、前記用紙に記入されたストロークデータとをマージする手順と、
前記手書き情報更新装置が、文字認識部において、このマージされたストロークデータを文字認識する手順と、
を含むことを特徴とする手書き情報更新方法。
【請求項７】
前記文字認識する手順の後に、
前記文字認識部が、
前記マージされたストロークデータに文字と重複する所定の訂正記号が含まれているか否かを判定する手順と、
文字と重複する所定の訂正記号が含まれると、前記訂正記号と重複する文字の文字認識の結果を、前記訂正記号から所定の範囲内にある文字の文字認識の結果と置き換える手順と、
を含むことを特徴とする請求項６に記載の手書き情報更新方法。
【請求項８】
前記文字認識する手順の後に、
前記文字認識部が、
前記マージされたストロークデータに所定の挿入記号が含まれているか否かを判定する手順と、
前記挿入記号が含まれると、前記挿入記号から上方の所定の範囲内にある文字の文字認識の結果を、前記挿入記号から下方の所定の範囲内にある文字の文字認識の結果の前記挿入記号が記入された位置に挿入する手順と、
を含むことを特徴とする請求項６に記載の手書き情報更新方法。
【請求項９】
前記文字認識する手順の後に、
前記手書き情報更新装置が、表示作成部において、前記マージされたストロークデータと、前記文字認識する手順における文字認識の結果を対比して表示した文字認識の結果を修正可能な表示画面を作成する手順を、
さらに含むことを特徴とする請求項６ないし請求項８のいずれか１項に記載の手書き情報更新方法。
【請求項１０】
前記位置情報を選択する手順の前に、
前記手書き情報更新装置が、前記表示作成部において、前記更新対象のストロークデータとその文字認識の結果とを対比して表示する表示画面を作成して、この表示画面において修正された内容を示す情報を格納する手順をさらに含み、
前記表示画面を作成する手順では、
前記手書き情報更新装置が、前記表示作成部において、前記マージされたストロークデータの文字認識の結果を修正可能な前記表示画面を作成する際に、前記マージされたストロークデータの文字認識の結果のうち、前記更新対象のストロークデータに、前記用紙に記入されたストロークデータが重複しない領域については、前記修正された内容を示す情報にもとづいて、前記更新対象のストロークデータの修正された文字認識の結果を表示すること、
を特徴とする請求項９に記載の手書き情報更新システム。
【請求項１１】
記入位置を特定可能な位置特定情報が印刷された用紙に、手書きで記入された情報をストロークデータとして取得する電子ペンから、前記ストロークデータを取得して、更新対象のストロークデータを更新する手書き情報更新装置であって、
少なくとも更新対象のストロークデータを格納する記憶部と、
前記用紙ごとに、一意に前記位置特定情報を選択する位置特定情報割当部と、
前記記憶部に格納された更新対象のストロークデータと、前記位置特定情報割当部において選択された位置特定情報とを含んだ前記用紙の印刷を指示する情報を出力する印刷指示部と、
更新対象のストロークデータと、前記用紙に記入されたストロークデータとをマージするマージ部と、
前記マージ部においてマージされたストロークデータを文字認識する文字認識部と、
を含んで構成されることを特徴とする手書き情報更新装置。
【請求項１２】
前記文字認識部は、前記マージされたストロークデータに文字と重複する所定の訂正記号が含まれると、前記訂正記号と重複する文字の文字認識の結果を、前記訂正記号から所定の範囲内にある文字の文字認識の結果と置き換えること、
を特徴とする請求項１１に記載の手書き情報更新装置。
【請求項１３】
前記文字認識部は、前記マージされたストロークデータに所定の挿入記号が含まれると、前記挿入記号から上方の所定の範囲内にある文字の文字認識の結果を、前記挿入記号から下方の所定の範囲内にある文字の文字認識の結果の前記挿入記号が記入された位置に挿入すること、
を特徴とする請求項１１に記載の手書き情報更新装置。
【請求項１４】
前記マージされたストロークデータと、前記文字認識部の文字認識の結果を対比して表示して、文字認識の結果を修正可能な表示画面を作成する表示作成部をさらに含んで構成されること、
を特徴とする請求項１１ないし請求項１３のいずれか１項に記載の手書き情報更新装置。
【請求項１５】
前記記憶部は、前記更新対象のストロークデータの文字認識結果を修正可能な前記表示画面において修正された内容を示す情報を格納し、
前記表示作成部は、前記マージされたストロークデータの文字認識の結果を修正可能な前記表示画面を作成する際に、前記マージされたストロークデータの文字認識の結果のうち、前記更新対象のストロークデータに、前記用紙に記入されたストロークデータが重複しない領域については、前記修正された内容を示す情報にもとづいて、前記更新対象のストロークデータの修正された文字認識の結果を表示すること、
を特徴とする請求項１４に記載の手書き情報更新装置。
【発明の詳細な説明】
【技術分野】
【０００１】
本発明は、電子ペンを用いた手書き情報の入力手段に関し、特に、過去に電子ペンを用いて入力された手書き情報を、電子ペンを用いて追加、修正ができる手書き情報更新システム、手書き情報更新方法および手書き情報更新装置に関する。
【背景技術】
【０００２】
コンピュータなどで取扱うことを目的として、書類などに手書きで入力された情報を電子データに変換する手段としては、ＯＣＲ（Optical Character Recognition）装置を用いて電子データ化することが一般的に行われている。このＯＣＲ装置は、スキャナなどを用いて文字などが記入された帳票を読取り、読取った文字を認識して電子データを作成する装置である。このようなＯＣＲ装置は、光学的なスキャナを用いて読取りを行うため、書類のレイアウトが複雑になると文字の認識率が低下するという欠点を有している。
【０００３】
この欠点を解決する手書き入力手段として、電子ペンを用いた入力手段がある。例えば特許文献１には、位置を特定できる特殊なドットパターンが印刷された書類に、このドットパターンを読取って記憶することができる電子ペンを用いた手書き文字認識システムが開示されている。特許文献１に記載の手書き文字認識システムは、筒状の電子ペン本体内部に具備された発光ダイオードから放射された光を、特殊なドットパターンが印刷された書類表面に照射して、この照射された光の反射光を光学センサで読み取ることで、書類表面に印刷されたドットバターンを読取って、電子ペンのメモリに蓄積する。この蓄積されたデータを解析処理することで、書類に手書き入力された情報を電子データに変換するものである。特許文献１に記載の手書き文字認識システムによると、複雑なレイアウトが印刷された帳票であっても、記入された文字のみを正確に電子データ化することが可能である。
【特許文献１】特開２００４−１１０５２９号公報（段落００１４〜００３５、図１、図３）
【発明の開示】
【発明が解決しようとする課題】
【０００４】
しかしながら、特許文献１に記載された手書き文字認識システムでは、電子ペンを用いて入力された手書き情報を文字認識することで電子データに変換する機能しか有していないため、過去に電子ペンを用いて入力された手書き情報を追加、修正する手段がなく、文字認識の結果である電子データのみに追加、修正することしかできなかった。
したがって、本発明の目的は、過去に電子ペンを用いて入力された手書き情報を、電子ペンによる入力で更新して、その更新内容を電子データに反映できる手段を提供することである。
【課題を解決するための手段】
【０００５】
前記した目的のためになされた本発明に係る手書き情報更新装置は、記入位置を特定可能な位置特定情報が印刷された用紙に、手書きで記入された情報をストロークデータとして取得する電子ペンから、ストロークデータを取得して、更新対象のストロークデータを更新する手書き情報更新装置であって、少なくとも更新対象のストロークデータを格納する記憶部と、用紙ごとに、一意に位置特定情報を選択する位置特定情報割当部と、記憶部に格納された更新対象のストロークデータと、位置特定情報割当部において選択された位置特定情報とを含んだ用紙の印刷を指示する情報を出力する印刷指示部と、更新対象のストロークデータと、用紙に記入されたストロークデータとをマージするマージ部と、マージ部においてマージされたストロークデータを文字認識する文字認識部とを含む構成とした。
その他の手段については後記する実施の形態で述べる。
【発明の効果】
【０００６】
本発明によると、過去に電子ペンを用いて入力された手書き情報を、電子ペンによる入力で更新して、その内容を認識結果である電子データに反映することができる。
【発明を実施するための最良の形態】
【０００７】
以下、本発明の望ましい実施の形態を、添付した図面を参照して説明する。
［手書き情報更新システム］
例えば、図１は、本実施の形態における手書き情報更新システムの構成図である。図１に示すように、本実施の形態の手書き情報更新システムは、用紙２に記入するストロークデータを取得して電子ペン端末３に送信する電子ペン１と、記入する位置を特定可能なように特殊なドットパターンが印刷された用紙２と、電子ペン１から取得したストロークデータを電子ペン処理装置５に送信する電子ペン端末３と、電子ペン端末３からの要求に応じて用紙２を印字出力するプリンタ４と、電子ペン端末３から送信されたストロークデータを処理して文字認識などの処理を実行する電子ペン処理装置５と、用紙２に記入された情報を利用する後段側の装置である業務システム６と、電子ペン端末３、プリンタ４、電子ペン処理装置５および業務システム６とを相互に接続するネットワーク７とから主に構成されている。次に、本実施の形態の手書き情報更新システムの各構成要素について説明する。
【０００８】
（電子ペン）
本実施の形態で用いる電子ペン１は、記入者が用紙２に記入した情報をストロークデータに変換して、電子ペン端末３に送信する機能を有している。ここで、図２は、本実施の形態で用いる電子ペン１の構成図の例である。図２に示すように、電子ペン１は、特殊なドットパターンが印刷された用紙２に、コマンドなどを記入するための筆記手段であるペン１０と、用紙２に印刷されたドットパターンを読取るカメラ１１と、記入時にペン１０に作用する筆圧を検出する筆圧センサ１２と、カメラ１１および筆圧センサ１２からのデータを処理して、記入により移動するペン先の位置を、ドットパターンが構成する空間上の位置情報であるストロークデータとして演算する処理装置１３と、識別する情報などの電子ペン１に関する情報を格納し、演算されたストロークデータなどを一時記憶するメモリ１４と、電子ペン１に電力を供給する電池１５と、ストロークデータなどを電子ペン端末３に送信するインターフェイスである伝送装置１６とを有している。
【０００９】
この伝送装置１６の例としては、短距離無線伝送技術の一種であるブルートゥース（登録商標）の通信プロトコルに従い、所定の周波数帯域の電波を利用してデータを送受信するための装置や、ＵＳＢ（Universal Serial Bus）規格により情報を送受信するための装置などが考えられる。また、処理装置１３は、ＣＰＵ（Central Processing Unit）やＲＯＭ（Read Only Memory）などの電気・電子回路から構成されており、電子ペン１を統括的に制御する。具体的には、カメラ１１において取得した画像情報に含まれる用紙２のドットパターンから、ストロークデータを算出することや、記入時間の情報をこのストロークデータに付加することや、ドットパターンから用紙２に一意なパターンＩＤを取得してストロークデータに付加することや、このように構成されたストロークデータを電子ペン端末３に送信する指示を行なうことなどがあげられる。
さらに、ストロークデータの送信時には、この電子ペン１を識別する情報なども合わせて送信される。
【００１０】
（用紙）
電子ペン１により記入される用紙２は、特殊なドットパターンが印刷されることで、電子処理用ペーパとして機能する。このドットパターンは、特許文献１に記載された専用ペーパと同様に、紙面を所定サイズの格子に区切った場合に、その位置を特定できるようにドットが配置されており、このドットパターンから用紙２上の位置を特定することができる。また、このドットパターンにはこの用紙２に一意なパターンＩＤの情報も含まれている。さらに本実施の形態の用紙２の上面には、後記する紙面情報が印刷されており、用紙２の記入者は、この紙面情報を目視して、記入内容や記入位置などを特定して用紙２に記入することができる。
なお、本実施の形態の用紙２に印刷される紙面情報およびそのレイアウトなどは後記する。
【００１１】
（電子ペン端末）
電子ペン端末３は、電子ペン１から、例えば無線通信インターフェイスを介して取得したストロークデータを、ネットワーク７を介して電子ペン処理装置５に送信したり、用紙２の印刷を要求する印刷指示情報を電子ペン処理装置５に送信したり、電子ペン処理装置５から送信された認識結果表示画面をディスプレイに表示する機能を有するパーソナルコンピュータにより具現される。
【００１２】
（プリンタ）
特許請求の範囲の印刷手段に相当するプリンタ４は、電子ペン処理装置５から送信された印刷情報にもとづいて、用紙２を印字出力する。本実施の形態において、プリンタ４は、ネットワーク７に接続されたネットワークプリンタとしたが、電子ペン端末３または電子ペン処理装置５に直接接続されたローカルプリンタを用いることもできる。
【００１３】
（電子ペン処理装置）
特許請求の範囲の手書き情報更新装置に相当する電子ペン処理装置５は、電子ペン端末３から送られるストロークデータを処理して文字認識を行い、後段側の装置である業務システム６に送信する機能などを有している。
ここで、図３は、本実施の形態における電子ペン処理装置５の機能ブロック図の例である。図３に示すように、電子ペン処理装置５は、様々な情報処理を実行する情報処理部５０１と、様々なデータが格納される記憶装置５１０と、ネットワーク７との入出力インターフェイスである入出力部５０９とから主に構成される。
【００１４】
さらに、情報処理部５０１は、記憶装置５１０に格納された情報を検索する検索部５０２と、用紙２の印刷指示があった場合に、この用紙２に印刷される所定領域のドットパターンを示すドットパターン情報を選択する処理を行なうパターン割当部５０３と、様々な情報の対応付けを行って、記憶装置５１０に格納する対応付け部５０４と、用紙２の印刷情報を作成する処理を行なう印刷指示部５０５と、後記する帳票定義情報にもとづいて、ストロークデータを文字認識して、認識結果として文字コードを出力し、訂正を要求する訂正記号を認識すると、認識結果を置き換える処理を行なう文字認識部５０６と、文字認識部５０６の認識結果を確認する表示画面を作成する表示作成部５０７と、複数のストロークデータを併合するマージ処理を行なうストロークデータマージ部５０８とから構成される。
【００１５】
また、記憶装置５１０は、入出力部５０９から取得したストロークデータや、文字認識部５０６がストロークデータから文字認識した結果である認識結果情報などが、対応付け部５０４により、所定領域のドドットパターンであるドットパターン情報に一意なパターンＩＤと対応付けて格納される業務情報管理データベース５１１と、用紙２の紙面に印刷される紙面情報や、電子ペン１を用いて記入した領域が、文字を記入する領域か、線などの図形を記入する領域かなどを定義する帳票定義情報や、さらに複数のドットパターン情報などが格納された用紙情報管理データベース５１２と、電子ペン１ごとに、一意な識別情報などの電子ペン１に関する情報が格納された電子ペン情報管理データベース５１３とを含んで構成される。
ここで、用紙情報管理データベース５１２に格納された紙面情報と帳票定義情報とは用紙２の種類を識別する情報により対応付けられている。
【００１６】
なお、本実施の形態の電子ペン処理装置５は、ＣＰＵ（Central Processing Unit）、ＲＡＭ（Random Access Memory）ＲＯＭ（Read Only Memory）、ハードディスクドライブおよびネットワークインターフェイスを含むサーバ用コンピュータにより具現され、情報処理部５０１の各機能部は、ハードディスクドライブに格納されたプログラムコードをＲＡＭに展開してＣＰＵが実行することで具現される。また、記憶装置５１０に含まれる各データベースは、ハードディスクドライブにそれぞれ領域を割り当てることで具現される。また、ドットパターン情報は、特許請求の範囲の位置特定情報に相当している。
【００１７】
（ネットワーク）
各構成要素を相互に接続するネットワーク７は、ＬＡＮ（Local Area Network）やインターネットや無線通信ネットワークなど、様々な規格の通信手段を単独または組み合わせて具現できる。
【００１８】
（帳票定義情報）
ここで、本実施形態の用紙２である「公文書公開請求書」について説明する。ここで、図４は、用紙２とそれに対応する帳票定義情報の例を示した図面である。図４に示すように、用紙２には、「氏名」と「番号」と記入する項目が設けられた紙面情報が印刷されており、記入者は、用紙２に印刷された紙面情報を見て、この２つの項目に電子ペン１を用いて記入することで、公文書の公開を請求する。なお、用紙２の表面には図示しないドットパターン情報も予め印刷されている。
【００１９】
用紙２において、破線で囲まれた領域は、電子ペン１による入力属性が設定された領域を示しており、実際の用紙２には表示されていない。この破線で囲まれた、それぞれの領域には、属性情報が予め設定されている。この項目ごとの属性情報を用紙２の種類ごとにまとめた情報が、図４の右側に示した帳票定義情報である。
【００２０】
帳票定義情報には、この帳票定義情報に一意な「用紙ＩＤ」の項目と、この用紙２の名称である「用紙名称」の項目とが含まれる。さらに、用紙２の各領域に設定された属性情報には、この領域を識別する「項目番号」と、この領域の名称を示す「項目名」と、この領域に入力される情報の種類を示す「属性」と、この領域に入力された情報を文字認識するか否かを示す「文字認識」と、この領域に記入される最大の文字数を定義した「最大文字数」の項目とが含まれている。
【００２１】
この帳票定義情報は、用紙２の種類ごとに定義されて、電子ペン処理装置５の用紙情報管理データベース５１２に格納されて、文字認識部５０６がストロークデータを処理する際に用いられる。例えば、用紙２の上側の破線で囲まれた領域には、「文字認識」の項目が'する'となっているため、文字認識部５０６は文字認識を実行し、「属性」の項目が、'文字・修正記号'であるため、これに応じて文字認識を行なう際の図示しない参照辞書を選択して、文字認識の精度および認識時間の向上を図ることができる。
【００２２】
［手書き情報更新方法］
次に、前記した手書き情報更新システムを用いて、例えば、役所などにおいて、公文書の公開を請求する用紙２である「公文書公開請求書」に、電子ペン１を用いて記入した情報を訂正する手順について詳しく説明する。
【００２３】
（手書き情報の格納手順）
図５は、電子ペン処理装置５が、電子ペン端末３からの印刷指示に従って用紙２を印刷し、この用紙２に記入されたストロークデータを取得して、文字認識を行なって認識結果情報に変換して業務システム６に受け渡すまで手順を示したシーケンス図の例である。
図５に示したシーケンス図を参照して電子ペン処理装置５の動作を説明する（適宜、図１参照のこと）。
【００２４】
はじめに、役所などの窓口において、公文書の公開を請求する請求者は、窓口の担当者に、用紙２である「公文書公開請求書」の発行を依頼する。これに応じて窓口の担当者は電子ペン端末３に、「公文書公開請求書」の発行を依頼する所定の操作を行う。これにより電子ペン端末３は、プリンタ４から用紙２の印刷を要求する第１印刷指示情報を送信する（ステップＳ５０１）。ここで、第１印刷要求情報には、用紙２の種類を特定する、例えば、図４に示した帳票定義情報の「用紙ＩＤ」に相当する情報と、プリンタ４のアドレスを示す情報などが含まれている。
この第１印刷指示情報を受信した電子ペン処理装置５は、検索部５０２により、用紙情報管理データベース５１２から、第１印刷要求情報に含まれる用紙２の種類を特定する情報にもとづいて、印刷を要求された用紙２の紙面情報および帳票定義情報を取得する（ステップＳ５０２）。
【００２５】
次に、電子ペン処理装置５は、パターン割当部５０３において、用紙情報管理データベース５１２に格納された複数のドットパターン情報の中から、任意のドットパターン情報である第１ドットパターン情報を選択する（ステップＳ５０３）。この第１ドットパターン情報には、第１ドットパターンに一意なパターンＩＤである第１パターンＩＤが割り当てられており、この第１パターンＩＤは、用紙２に印刷されたドットパターンを読み取ることで、電子ペン１が直接取得することができる。そして、対応付け部５０４において、用紙情報管理データベース５１２に、紙面情報および帳票定義情報を第１パターンＩＤに対応付けて格納する（ステップＳ５０４）。
【００２６】
次に、電子ペン処理装置５は、印刷指示部５０５において、第１ドットパターン情報と紙面情報とを含んだ第１印刷情報作成して、ステップＳ５０２で取得した第１印刷要求情報に含まれるプリンタ４のアドレスを示す情報により、プリンタ４にこの第１印刷情報を送信する（ステップＳ５０５）。これにより送信先を決め、プリンタ４は図４に示した用紙２を出力する。
ここで、次に示す表１は、ステップＳ５０４において用紙情報管理データベース５１２に格納された情報を説明するためのテーブルである。
【００２７】
【表１】
2006277310.tif 000003
【００２８】
表１に示すように、用紙情報管理データベース５１２には、ステップＳ５０５において、プリンタ４から用紙２を印字させるために必要な情報が集約されていることがわかる。
【００２９】
また、図６は用紙２を構成する情報を説明する図面であり、図６（ａ）は、第１印刷情報を説明する図面である。図６（ａ）に示すように、参照符号６１で示した第１ドットパターン情報と、参照符号６２で示した紙面情報とを合わせて第１印刷情報として、図４に示した用紙２が印刷される。
なお、図６（ｂ）についての説明は後記する。
【００３０】
図５に戻って、ステップＳ５０５において送信された第１印刷情報により、プリンタが用紙２を印字出力すると、役所などの窓口の担当者は、用紙２である「公文書公開請求書」を来訪した利用者に受け渡す。そして、利用者は電子ペン１を用いてこの「公文書公開請求書」の「名前」の項目に自身の名前を、「番号」の項目に公開を請求する公文書の番号をそれぞれ記入する。これにより、電子ペン１は、利用者が記入したストロークデータである第１ストロークデータを取得して、この第１ストロークデータを電子ペン端末３に送信する。そして、電子ペン端末３は、電子ペン処理装置５に、この第１ストロークデータを送信する（ステップＳ５０６）。
このとき、用紙２には、図６（ｂ）に示すように、参照符号６１で示した第１ドットパターンと、参照符号６２で示した紙面情報と、参照符合６３で示した第１ストロークデータとが含まれることになる。
【００３１】
次に、電子ペン端末３から、第１ストロークデータを取得した電子ペン処理装置５は、検索部５０２により、この第１ストロークデータに含まれる第１パターンＩＤにもとづいて、用紙情報管理データベース５１２から、これに対応する帳票定義情報および紙面情報を取得する（ステップＳ５０７）。そして、文字認識部５０６により、帳票定義情報にもとづいて、第１ストロークデータに文字認識処理を実行して（ステップＳ５０８）、その結果である第１認識結果情報を出力する。
なお、電子ペン処理装置５が、電子ペン端末３から、第１ストロークデータを取得するたびに、電子ペン１から電子ペン１を識別する情報も合わせて取得し、電子ペン情報管理データベース５１３に格納された電子ペン１を識別する情報と照合することで、電子ペン１を認証する手段を設けてもよい。
【００３２】
次に、電子ペン処理装置５は、表示作成部５０７により、紙面情報および第１ストロークデータを合わせた第１イメージ情報（図６（ｂ）参照のこと）を作成して、この第１イメージ情報および第１認識結果情報を確認できる認識結果確認画面を作成して電子ペン端末３に送信する（ステップＳ５０９）。そして、電子ペン端末３は、ディスプレイに受信した認識結果確認画面を表示する（ステップＳ５１０）。
【００３３】
ここで、図７は、電子ペン端末３のディスプレイに表示される認識結果確認画面の例を示す図面である。図７に示すように、認識結果確認画面７０は、参照符号７１で示した左側の領域に、紙面情報および第１ストロークデータを合わせた第１イメージ情報が表示され、右側の領域の参照符号７２で示した項目は、上段に用紙２の「氏名」の項目に記入されたストロークデータが表示され、下段にこのストロークデータを文字認識した結果の文字コードが表示されている。また参照符号７３で示した「番号」の項目も同様である。役所などの窓口の担当者は、「氏名」および「番号」の項目を見て、文字認識結果に誤りがないかを確認することができる。また、誤りがあった場合には、下段の認識結果を修正することもできる。さらに、認識結果確認画面７０の右下部には、認識結果に誤りがない場合や、修正が終了した場合に選択する送信ボタン７４が配置されている。
なお、参照符号７２で示した「氏名」の項目と、参照符号７３で示した「番号」の項目との下段に示した文字認識の結果が、前記した第１認識結果情報である。
【００３４】
図５に戻って、電子ペン端末３は、認識結果確認画面７０において、送信ボタン７４が選択されると、修正が行なわれた項目についてのみ、修正した項目、修正結果の内容および送信時間を含んだ情報である第１修正結果情報を送信する（ステップＳ５１１）。この第１修正結果情報を取得した（ステップＳ５１２）電子ペン処理装置５は、対応付け部５０４により、業務情報管理データベース５１１に、第１パターンＩＤに対応付けて、第１ストロークデータ、第１イメージ情報、第１認識結果情報および第１修正結果情報を格納する（ステップＳ５１３）。そして、業務情報管理データベース５１１に格納された、第１パターンＩＤ、第１ストロークデータ、第１イメージデータ、第１認識結果情報および第１修正結果情報を、業務システム６に送信する（ステップＳ５１４）。そして、業務システム６は、図示しない記憶手段にこれらの情報を格納する（ステップＳ５１５）。
【００３５】
ここで、次に示す、表２は、ステップＳ５１３において業務情報管理データベース５１１に格納され、ステップＳ５１４において業務システム６に送信された情報を説明するテーブルである。
【００３６】
【表２】
2006277310.tif 000004
【００３７】
表２に示すように、業務情報管理データベース５１１には、電子ペン１から送信されたストロークデータおよび電子ペン処理装置５におけるストロークデータの処理の結果に関する情報が集約されていることがわかる。
なお、表２に示したマージデータの項目については後記する。また、第１修正結果情報は、前記した認識結果確認画面７０において修正した項目および修正結果の内容を含む情報であるため、認識結果確認画面７０において修正が行なわれなかった場合には存在しなことになる。また、本実施の形態において、第１ストロークデータは、特許請求の範囲の更新対象のストロークデータに相当する。
【００３８】
以上の手順により、用紙２に電子ペン１を用いて入力されたストロークデータが、文字認識されて第１認識結果情報に変換されて、電子ペン処理装置５の業務情報管理データベース５１１に格納されて、業務システム６に受け渡される。
【００３９】
（手書き情報の更新手順）
次に、図８は、電子ペン処理装置５が、電子ペン端末３からの印刷指示に従って、図５に示した手順によりストロークデータが付加された用紙２を印刷し、電子ペン１による入力で認識結果情報を更新する手順を示したシーケンス図の例である。
図８に示したシーケンス図を参照して電子ペン処理装置５の動作を説明する（適宜、図１参照のこと）。
【００４０】
はじめに、役所などの窓口において、請求者が以前に自身が記入した「公文書公開請求書」の記入を訂正したい場合、この請求者は、窓口の担当者に、自身の記入した「公文書公開請求書」の訂正したいことを要求する。これに応じて、窓口の担当者は、請求者の名前や用紙２の種類を特定する情報などをキーワードとして請求者が以前に記入した「公文書公開請求書」のパターンＩＤである第１パターンＩＤを検索する。そして、所定の操作により、電子ペン端末３から、この第１パターンＩＤや、プリンタ４のアドレスを示す情報などが含まれた第２印刷要求情報を電子ペン処理装置５に送信する（ステップＳ８０１）。
なお、ここでは、電子ペン端末３から第２印刷指示情報を送信することにしたが、業務システム６から同様の手順で第２印刷指示情報を送信することもできる。
【００４１】
この第２印刷指示情報を受信した電子ペン処理装置５は、検索部５０２により、業務情報管理データベース５１１および用紙情報管理データベース５１２から、第２印刷要求情報に含まれる第１パターンＩＤにもとづいて、印刷を要求された用紙２の帳票定義情報および第１イメージ情報を取得する（ステップＳ８０２）。そして、パターン割当部５０３において、用紙情報管理データベース５１２に格納された複数のドットパターン情報の中から、第１ドットパターン情報とは異なる任意のドットパターン情報である第２ドットパターン情報を選択する（ステップＳ８０３）。この第２ドットパターン情報には、第２ドットパターンに一意なパターンＩＤである第２パターンＩＤが割りあてられている。そして、対応付け部５０４において、用紙情報管理データベース５１２に、表２に示したテーブルに付加する形態で第２パターンＩＤに対応付けて帳票定義情報および第１イメージ情報を格納する（ステップＳ８０４）。
【００４２】
次に、電子ペン処理装置５は、印刷指示部５０５において、第２ドットパターン情報と第１イメージ情報とを含んだ第２印刷情報作成して、ステップＳ８０２で取得した第２印刷要求情報に含まれるプリンタ４のアドレスを示す情報により、プリンタ４にこの第２印刷情報を送信する（ステップＳ８０５）。これにより、プリンタ４は以前に請求者が記入した情報が印刷された用紙２を印刷出力する。
ここで、次に示す表３は、ステップＳ８０４において用紙情報管理データベース５１２に格納された情報を説明するためのテーブルである。
【００４３】
【表３】
2006277310.tif 000005
【００４４】
表３に示すように、用紙情報管理データベース５１２には、表２に付加する形態で、ステップＳ８０５において、プリンタ４から用紙２を印字させるために必要な情報が集約されていることがわかる。
【００４５】
また、図９は、図８に示した手順において、用紙２を構成する情報を説明する図面であり、図９（ａ）は、第２印刷情報を説明する図面である。図９（ａ）に示すように、第２印刷情報は、参照符号９１で示した第２ドットパターン情報と、第１イメージ情報である参照符号６２で示した紙面情報および参照符号６３で示した第１ストロークデータとから構成されることを示しており、この第２印刷情報がプリンタ４から印字出力される。
なお、図９（ｂ）、（ｃ）についての説明は後記する。
【００４６】
図８に戻って、ステップＳ８０５において送信された第２印刷情報により、プリンタが用紙２を印字出力すると、役所などの窓口の担当者は、この用紙２である「公文書公開請求書」の訂正を要求した利用者に受け渡す。そして、利用者は電子ペン１を用いて、訂正する項目に二重線を引いて、その上に訂正する内容を記入する。これにより、電子ペン１は、利用者が記入したストロークデータである第２ストロークデータを取得して、この第２ストロークデータを電子ペン端末３に送信する。そして、電子ペン端末３は、電子ペン処理装置５に、この第２ストロークデータを送信する（ステップＳ８０６）。
【００４７】
次に、電子ペン端末３から、第２ストロークデータを取得した電子ペン処理装置５は、検索部５０２により、この第２ストロークデータに含まれる第２パターンＩＤにもとづいて、業務情報管理データベース５１１および用紙情報管理データベース５１２から、これに対応する紙面情報、帳票定義情報および第１ストロークデータを取得する（ステップＳ８０７）。そして、ストロークデータマージ部５０８において、第１ストロークデータおよび第２ストロークデータをマージして（ステップＳ８０８）、マージストロークデータを生成する。
ここで、図９（ｂ）は、このストロークデータマージ部５０８におけるマージ処理の例を説明する図面である。図９（ｂ）は、参照符号６３で示した第１ストロークデータと、ステップＳ８０６で送信された第２ストロークデータとをマージして、参照符号９３で示したマージストロークデータが生成されたことを示している。
【００４８】
次に、電子ペン処理装置５は、文字認識部５０６において、帳票定義情報にもとづいて、ステップＳ８０８で生成されたマージストロークデータに文字認識処理を実行して（ステップＳ８０９）、その結果である第２認識結果情報を出力する。この文字認識処理において、文字認識部５０６は所定の記号を認識して、認識した記号に合わせた処理も実行する。ここで、所定の記号の例として、訂正処理のための記号である二重線と挿入処理のための記号である谷形記号との２つの実施形態例を挙げて、それぞれ文字認識部５０６の処理を説明する。
【００４９】
（第１実施形態例：訂正処理）
ここで、図１０は、第１実施形態例における文字認識処理のフローチャートの例である。図１０に示したフローチャートを参照しつつ、本実施形態例における文字認識処理を説明すると、まず、文字認識部５０６は、帳票定義情報にもとづいて、図４の破線で示した各項目に記入されたマージストロークデータを文字認識する（ステップＳ１００１）。ここで、図９（ｂ）に示したように、用紙２の「番号」の項目では、第１ストロークデータの'４５６'という記載を訂正するために、'４５６'という記載の上から、第２ストロークデータの二重線が引かれ、この二重線の上方の近傍に'７８９'が記載されている。前記したように、電子ペン１から送られたストロークデータには記入時間の情報が付加されているため、文字認識部５０６は、この情報にもとづいて同じ場所に重複して記載された場合であっても、'４５６'、二重線および'７８９'を認識することができる。
【００５０】
次に、文字認識部５０６は、文字と重複した二重線があるか否かを判定する（ステップＳ１００２）。文字と重複する二重線がない場合は（ステップＳ１００２で'Ｎｏ'の場合）、そのまま文字認識処理を終了して、ステップＳ１００１で認識された結果を第２認識結果情報として出力する。また、本実施形態例では、二重線は訂正記号と予め定義されており、文字と重複する二重線がある場合は（ステップＳ１００２で'Ｙｅｓ'の場合）、この二重線の近傍に別途の文字があるか否かを判定する（ステップＳ１００３）。この近傍の文字は、二重線と重複する文字よりも所定時間後に記入された文字であることが望ましい。このため、マージストロークデータに含まれる記入時間の情報にもとづいて、二重線と重複する文字よりも所定時間後に記入された文字のみをステップＳ１００３の判定の対象とすることが望ましい。
【００５１】
そして、二重線の近傍に別途の文字がない場合は（ステップＳ１００３で'Ｎｏ'の場合）、ステップＳ１００１における文字認識の結果を第２認識結果情報として出力して文字認識処理を終了する。また、二重線の近傍に別途の文字がある場合は（ステップＳ１００３で'Ｙｅｓ'の場合）、該当する文字の認識結果を二重線が重複した文字の認識結果と置き換えて（ステップＳ１００４）、当該項目の認識結果として第２認識結果情報を出力して文字認識処理を終了する。
以上、説明した本実施形態例の文字認識の手順により、電子ペン１で記入された訂正のための記載が、第２認識結果情報に反映される。
【００５２】
（第２実施形態例：挿入処理）
次に、第２実施形態例における文字認識処理の手順について詳しく説明する。本実施形態例では、ステップＳ８０６で送信された第２ストロークデータが、例えば、図１２の参照符合１２１で示した内容の場合における文字認識処理である。図１２に示したように、本実施形態例の第２ストロークデータには、谷形記号とその上方の近傍に記入された'８'の文字が含まれている。したがって、本実施形態例におけるマージストロークデータは、図１２の参照符合１２２で示した内容となる。
【００５３】
ここで、図１３は、本実施形態例における文字認識処理のフローチャートの例である。図１３に示したフローチャートを参照しつつ、本実施形態例の文字認識処理の手順を説明する。
まず、電子ペン処理装置の文字認識部５０６は、帳票定義情報にもとづいて、図４の破線で示した各項目に記入されたマージストロークデータを文字認識する（ステップＳ１３０１）。ここで、図１２に示したように、用紙２の「番号」の項目では、第１ストロークデータの'４５６'という記載を訂正するために、挿入記号である谷形記号の'∨'と、その上方近傍の'８'の文字が記載されている。
【００５４】
次に、文字認識部５０６は、文字認識の結果に前記した谷形記号あるか否かを判定する（ステップＳ１３０２）。谷形記号がない場合は（ステップＳ１３０２で'Ｎｏ'の場合）、そのまま文字認識処理を終了して、ステップＳ１３０１で認識された結果を第２認識結果情報として出力する。また、本実施形態例では、谷形記号は挿入記号と予め定義されており、谷形記号がある場合は（ステップＳ１３０２で'Ｙｅｓ'の場合）、この谷形記号の下方近傍に、この谷形記号よりも前に記入された文字があるか否かを判定する（ステップＳ１３０３）。これは、谷形記号が挿入記号であるため、挿入の対象となる文字があるか否かを判定するものであり、挿入の対象となる文字は、谷形記号よりも以前に記入されているためである。
【００５５】
そして、谷形記号の下方近傍に、谷形記号より前に記入された文字がない場合は（ステップＳ１３０３で'Ｎｏ'の場合）、ステップＳ１３０１における文字認識の結果を第２認識結果情報として出力して文字認識処理を終了する。また、谷形記号の下方近傍に、谷形記号より前に記入された文字がある場合は（ステップＳ１３０３で'Ｙｅｓ'の場合）、この谷形記号の上方近傍に、この谷形記号よりも後に記入された文字があるか否かを判定する（ステップＳ１３０４）。これは、谷形記号により挿入される文字があるか否かを判定するものであり、挿入される文字は、谷形記号よりも後に記入されているためである。
【００５６】
そして、谷形記号の上方近傍に谷形記号よりも後に記入された文字がない場合は（ステップＳ１３０４で'Ｎｏ'の場合）、ステップＳ１３０１における文字認識の結果を第２認識結果情報として出力して文字認識処理を終了する。また、谷形記号の上方近傍に谷形記号よりも後に記入された文字がある場合は（ステップＳ１３０４で'Ｙｅｓ'の場合）、下方近傍の文字の文字認識結果の谷形記号が付された位置に、谷形記号の上方近傍の文字の文字認識結果を挿入して（ステップＳ１３０５）、第２認識結果情報に反映して文字認識処理を終了する。例えば、図１２に示したマージストロークデータであれば、'４５６'の文字の'５'と'６'との間に'８'が挿入されて、文字認識結果は'４５８６'となる。
【００５７】
以上、説明した本実施形態例の文字認識の手順により、電子ペン１で記入された挿入のための記載が、第２認識結果情報に反映される。
なお、本実施の形態では、２つの記号を用いた実施形態例について説明したが、図１０および図１３に示した文字認識処理の手順は、図５に示した手順のステップＳ５０８の文字認識処理に適用することも可能である。
【００５８】
第１実施形態例または第２実施形態例に示した文字認識の手順が終了すると、図８に戻って、次に、電子ペン処理装置５は、表示作成部５０７により、紙面情報およびマージストロークデータ（図９（ｂ）または図１２参照のこと）を合わせた第２イメージ情報（図９（ｃ）参照のこと）を作成して、この第２イメージ情報および第２認識結果情報を確認できる認識結果確認画面を作成して電子ペン端末３に送信する（ステップＳ８１０）。そして、電子ペン端末３は、ディスプレイに受信した認識結果確認画面を表示する（ステップＳ８１１）。
【００５９】
ここで、図１１は、ステップＳ８１１において、電子ペン端末３のディスプレイに表示される認識結果確認画面の例を示す図面である。図１１に示すように、認識結果確認画面７０ａは、図９に示した各情報を適用した場合の例であり、参照符合１１１で示した左側の領域に、紙面情報およびマージストロークデータを合わせた第２イメージ情報（図９（ｃ）参照のこと）が表示され、右側の領域の参照符合１１２で示した「パターンＩＤ」の項目は第２パターンＩＤが表示されるため、図７に示した認識結果確認画面７０とは異なっている。また、参照符号１１３で示した項目は、新たなストロークデータが付加されていないため、図７に示した認識結果確認画面７０の参照符合７２で示した項目と同じ表示となっている。また、参照符号１１４で示した「番号」の項目は、第２ストロークデータに二重線と、その上に記載された'７８９'の文字が付加されたため、下段の認識結果は第１実施形態例で示した手順により、'７８９'と表示されていることがわかる。
役所などの窓口の担当者は、この認識結果確認画面７０ａを見て、文字認識結果に誤りがないかを確認して、誤りがあった場合には、下段の認識結果を修正することもできる。さらに、認識結果確認画面７０ａの右下部には、認識結果に誤りがない場合や、修正が終了した場合に選択する送信ボタン１１５が配置されている。
【００６０】
なお、参照符号１１３で示した「氏名」の項目および参照符号１１４で示した「番号」の項目の下段に示した文字認識の結果が、前記した第２認識結果情報である。
また、図７に示した認識結果確認画面７０において、文字認識の結果を修正した第１修正結果情報が業務情報管理データベース５１１（表２参照のこと）に格納されている場合は、この第１修正結果情報を、図１１に示した認識結果確認画面７０ａに反映して認識結果を表示することが望ましい。このとき、第１修正結果情報の修正した項目に該当するマージストロークデータに、第２ストロークデータが付加されていないときは（例えば、図９（ｂ）の'鈴木'の文字）、第１修正結果情報を認識結果として認識結果確認画面７０ａに表示し、第２ストロークデータが付加されているときは（例えば、図９（ｂ）の'４５６'の文字）、マージストロークデータを文字認識した結果を認識結果確認画面７０ａに表示させることが望ましい。
【００６１】
図８に戻って、電子ペン端末３は、認識結果確認画面７０ａにおいて、送信ボタン１１５が選択されると、修正が行なわれた項目についてのみ、修正した項目、修正結果の内容および送信時間を含んだ情報である第２修正結果情報を送信する（ステップＳ８１２）。この第２修正結果情報を取得した（ステップＳ８１３）電子ペン処理装置５は、対応付け部５０４により、業務情報管理データベース５１１に、第２パターンＩＤに対応付けて、第２ストロークデータ、マージストロークデータ、第２イメージ情報、第２認識結果情報および第２修正結果情報を格納する（ステップＳ８１４）。そして、業務情報管理データベース５１１に格納された、第２パターンＩＤ、第２ストロークデータ、マージストロークデータ、第２イメージデータ、第２認識結果情報および第２修正結果情報を、業務システム６に送信する（ステップＳ８１５）。そして、業務システム６は、図示しない記憶手段にこれらの情報を格納する（ステップＳ８１６）
【００６２】
ここで、次に示す、表４は、ステップＳ８１４において業務情報管理データベース５１１に格納された情報を説明するテーブルである。
【００６３】
【表４】
2006277310.tif 000006
【００６４】
表４に示すように、業務情報管理データベース５１１には、表２に付加する形態でで、電子ペン１から送信されたストロークデータおよび電子ペン処理装置５におけるストロークデータの処理の結果に関する情報が集約されていることがわかる。
【００６５】
以上、説明した本実施の形態の手書き情報更新システムによると、過去に電子ペン１を用いて入力されたストロークデータと、新たに電子ペン１で入力されたストロークデータとをマージすることで、文字認識の結果に反映することができる。また、端末を用いた文字認識の結果のみを修正する場合にくらべて、記入者の筆跡を残すこともでき、情報の改ざんを防止することもできる。また、プリンタ４の設置場所および電子ペン端末３の設置場所に自由度があるため、遠隔地における手書き情報によるコミュニケーションを図ることもできる。
【００６６】
また、本実施の形態では、第１ストロークデータを更新対象のストロークデータとして説明したが、表４に示した２回目記入データのマージストロークデータを更新対象のストロークデータとすることで、図８に示した手順と同様の手順により、何回でもそれ以前に入力されたマージストロークデータを更新することが可能である。
【００６７】
さらに、本実施の形態の手書き情報更新システムは、ネットワーク７を介して隔離された構成要素間を接続して構成したが、例えば、電子ペン処理装置５にＵＳＢインターフェイスを用いて直接電子ペンを接続し、プリンタ４として電子ペン処理装置５のローカルプリンタを用いることで、電子ペン処理装置５単独で、手書き情報更新システムを構成することも可能である。
【００６８】
つまり、本発明は前記した実施の形態に限定されず、本発明の趣旨を逸脱しない範囲において、様々に変形した実施の形態が考えられる。したがって、本発明は特許請求の範囲に記載された技術的思想により定められる。
【図面の簡単な説明】
【００６９】
【図１】手書き情報更新システムの構成を示す図である。
【図２】電子ペンの内部構成を示す図である。
【図３】電子ペン処理装置のブロック構成図である。
【図４】用紙および帳票定義情報を説明する図面である。
【図５】電子ペンによる入力手順を説明するシーケンス図である。
【図６】（ａ）第１印刷情報に含まれる情報を説明する図であり、（ｂ）用紙に含まれる情報を説明する図面である。
【図７】認識結果確認画面を示す図面である。
【図８】電子ペンによる更新手順を説明するシーケンス図である。
【図９】（ａ）第２印刷情報に含まれる情報を説明する図面であり、（ｂ）マージストロークデータの構成を説明する図面であり、（ｃ）第２イメージ情報に含まれる情報を説明する図面である。
【図１０】第１実施形態例による文字認識処理のフローチャートである。
【図１１】認識結果確認画面を示す図面である。
【図１２】第２実施形態例におけるマージストロークデータの構成を説明する図面である。
【図１３】第２実施形態例による文字認識処理のフローチャートである。
【符号の説明】
【００７０】
１      電子ペン
２      用紙
３      電子ペン端末
４      プリンタ
５      電子ペン処理装置
７０、７０ａ  認識結果確認画面
５０２  検索部
５０３  パターン割当部
５０５  印刷指示部
５０６  文字認識部
５０７  表示作成部
５０８  ストロークデータマージ部
５１１  業務情報管理データベース
５１２  用紙情報管理データベース
【図１】
2006277310.tif 000007
【図２】
2006277310.tif 000008
【図３】
2006277310.tif 000009
【図４】
2006277310.tif 000010
【図５】
2006277310.tif 000011
【図６】
2006277310.tif 000012
【図７】
2006277310.tif 000013
【図８】
2006277310.tif 000014
【図９】
2006277310.tif 000015
【図１０】
2006277310.tif 000016
【図１１】
2006277310.tif 000017
【図１２】
2006277310.tif 000018
【図１３】
2006277310.tif 000019